(57)【要約】【課題】遠隔地にいる者が被管理者の日常的な健康状態を正確に把握できるようにする。【解決手段】センサ２は、被管理者１００の住居２００内の居室３００に設置され、被管理者１００の居室３００における活動に対応する検出信号を出力する。ゲートウェイ装置３は、住居２００に設置され、センサ２から出力された検出信号に対応するデータを送信する。管理装置４は、住居２００から遠隔した場所に設置され、ゲートウェイ装置３から送信されたデータを受信する。端末装置５は、管理装置４と通信可能であり、かつ被管理者１００とは異なるオブザーバ１５０に対して情報を提示可能である。管理装置４の指標生成部４１は、受信したデータを経時的に蓄積することにより、被管理者１００の居室３００における活動状態に対応する指標を生成する。管理装置４の送信部４２は、当該指標を含む管理情報を端末装置５へ送信する。  【選択図】図１
2016028309.tif 000002
【特許請求の範囲】
【請求項１】
被管理者の住居内の居室に設置され、当該被管理者の当該居室における活動に対応する検出信号を出力するセンサと、
前記住居に設置され、前記検出信号に対応するデータを送信するゲートウェイ装置と、
前記住居から遠隔した場所に設置され、前記データを受信する管理装置と、
前記管理装置と通信可能であり、かつ前記被管理者とは異なるオブザーバに対して情報を提示可能な端末装置と、
を備えており、
前記管理装置は、
前記データを経時的に蓄積することにより、前記被管理者の前記居室における活動状態に対応する指標を生成する指標生成部と、
前記情報として、前記指標を含む管理情報を前記端末装置へ送信する送信部と、  
を備えている、
遠隔健康管理システム。
【請求項２】
前記センサは、前記住居内の複数の居室に設置された複数のセンサを含んでおり、
前記指標生成部は、前記複数のセンサから出力された複数の検出信号に対応するデータの組合せに基づいて前記指標を生成する、
請求項１に記載の遠隔健康管理システム。
【請求項３】
前記センサは、前記居室における複数の位置に設置された複数のセンサを含んでおり、
前記指標生成部は、前記複数のセンサから出力された複数の検出信号に対応するデータの組合せに基づいて前記指標を生成する、
請求項１または２に記載の遠隔健康管理システム。
【請求項４】
前記送信部は、前記指標の変化量が閾値を超えると、前記端末装置へアラーム信号を送信する、
請求項１から３のいずれか一項に記載の遠隔健康管理システム。
【請求項５】
前記オブザーバは、第１オブザーバと第２オブザーバを含んでおり、
前記第２オブザーバは、前記第１オブザーバよりも高い緊急対応能力を有しており、
前記送信部は、前記指標の変化量に対応する緊急性に応じて、前記アラーム信号の送信先に前記第２オブザーバに関連付けられた前記端末装置を加える、
請求項４に記載の遠隔健康管理システム。
【請求項６】
前記センサは、焦電センサ、超音波センサ、マイクロ波センサ、電波センサ、画像センサ、温度センサ、湿度センサ、照度センサの少なくとも１つである、
請求項１から５のいずれか一項に記載の遠隔健康管理システム。
【請求項７】
前記センサは、電池、自家発電源、商用電源の少なくとも１つにより供給される電力により動作する、
請求項６に記載の遠隔健康管理システム。
【請求項８】
前記送信部は、前記ゲートウェイ装置から前記データを所定期間受信しなかった場合に、前記ゲートウェイ装置と前記端末装置の少なくとも一方へアラーム信号を送信し、
前記ゲートウェイ装置と前記端末装置の少なくとも一方は、前記アラーム信号に対応する報知動作を行なう、
請求項７に記載の遠隔健康管理システム。
【請求項９】
少なくとも前記住居からの外出時において前記被管理者に所持され、当該被管理者の身体活動量に対応する活動量データを生成する身体活動計を備えており、
前記ゲートウェイ装置は、前記身体活動計から前記活動量データを取得するとともに、前記データとして当該活動量データを前記管理装置へ送信し、
前記送信部は、前記管理情報として、前記活動量データと当該活動量データに基づいて生成された管理データの少なくとも一方を前記端末装置へ送信する、
請求項１から８のいずれか一項に記載の遠隔健康管理システム。
【請求項１０】
前記被管理者の生体情報を取得し、当該生体情報に対応する生体情報データを生成する医療機器を備えており、
前記ゲートウェイ装置は、前記医療機器から前記生体情報データを取得するとともに、前記データとして当該生体情報データを前記管理装置へ送信し、
前記送信部は、前記管理情報として、前記生体情報データと当該生体情報データに基づいて生成された管理データの少なくとも一方を前記端末装置へ送信する、
請求項１から９のいずれか一項に記載の遠隔健康管理システム。
【請求項１１】
管理装置は、前記ゲートウェイ装置より受信した前記生体情報データを、少なくとも前記生体情報が取得された日時と関連付けて記憶する記憶部を備えている、
請求項１０に記載の遠隔健康管理システム。
【請求項１２】
前記送信部は、定期的に前記管理情報を前記端末装置へ送信する、
請求項１から１１のいずれか一項に記載の遠隔健康管理システム。
【請求項１３】
前記送信部は、前記端末装置からの要求に応じて、前記管理情報を送信する、
請求項１から１２のいずれか一項に記載の遠隔健康管理システム。
【発明の詳細な説明】
【技術分野】
【０００１】
本発明は、遠隔地から被管理者の健康を管理するシステムに関する。
【背景技術】
【０００２】
核家族化の進行に伴い、独り暮らしの高齢者が増加している。当該高齢者が被管理者とされ、その健康状態を遠隔地に居ながらにして把握するためのシステムが知られている。例えば、被管理者によって携帯され、緊急時において操作される通報装置が知られている。また、特定の電気機器に内蔵されたセンサが当該電気機器の操作頻度を検出し、これをもって被管理者の活動状況を把握するシステムが知られている（例えば、特許文献１を参照）。
【先行技術文献】
【特許文献】
【０００３】
【特許文献１】特開平１０−２４８０９３号公報
【発明の概要】
【発明が解決しようとする課題】
【０００４】
緊急事態が生じたり病気が発症したりしてから対応を行なうのではなく、そのような事態を未然に防ぎたいという要求がある。上記の携帯型通報装置は、このような要求に応えうるものではない。通報があってからの対応が間に合わない場合や、そもそも緊急事態の発生に際して被管理者が通報装置を操作可能な状態にない場合が考えられるからである。また、特定の電気機器に内蔵されたセンサにより被管理者の活動状態を把握しようとするシステムの場合、当該電気機器の動作時や被操作時にのみ情報が取得可能であるため、得られる情報量に限りがある。
【０００５】
よって本発明は、遠隔地にいる者が被管理者の日常的な健康状態を正確に把握できるようにすることを目的とする。
【０００６】
上記の目的を達成するために、本発明がとりうる一態様は、遠隔健康管理システムであって、
被管理者の住居内の居室に設置され、当該被管理者の当該居室における活動に対応する検出信号を出力するセンサと、
前記住居に設置され、前記検出信号に対応するデータを送信するゲートウェイ装置と、
前記住居から遠隔した場所に設置され、前記データを受信する管理装置と、
前記管理装置と通信可能であり、かつ前記被管理者とは異なるオブザーバに対して情報を提示可能な端末装置と、
を備えており、
前記管理装置は、
前記データを経時的に蓄積することにより、前記被管理者の前記居室における活動状態に対応する指標を生成する指標生成部と、
前記情報として、前記指標を含む管理情報を前記端末装置へ送信する送信部と、  
を備えている。
【０００７】
このような構成によれば、例えば、被管理者の活動度が日常的に低下している旨を示す管理情報を見たオブザーバの一例としての被管理者の子が、遠隔地に住む被管理者に連絡をとって様子を伺うといった対応ができる。したがって、遠隔地にいるオブザーバが、被管理者の日常的な健康状態を正確に把握でき、緊急事態や病気の発症を未然に防ぎたいという要求に応えることができる。
【０００８】
前記センサは、前記住居内の複数の居室に設置された複数のセンサを含んでいる構成とされうる。この場合、前記指標生成部は、前記複数のセンサから出力された複数の検出信号に対応するデータの組合せに基づいて前記指標を生成する。
【０００９】
このような構成によれば、住居内における被管理者の行動パターンをより正確に把握できる。例えば、得られた行動パターンが通常の行動パターンと著しく異なる場合には、被管理者の健康状態に問題が生じた可能性もある。したがって、遠隔地にいるオブザーバが、被管理者の日常的な健康状態をより正確に把握でき、緊急事態や病気の発症を未然に防ぎたいという要求に応えることができる。
【００１０】
前記センサは、前記居室における複数の位置に設置された複数のセンサを含んでいる構成とされうる。この場合、前記指標生成部は、前記複数のセンサから出力された複数の検出信号に対応するデータの組合せに基づいて前記指標を生成する。
【００１１】
このような構成によれば、居室内における被管理者の行動パターンをより正確に把握できる。例えば、得られた行動パターンが通常の行動パターンと著しく異なる場合には、被管理者の健康状態に問題が生じた可能性もある。したがって、遠隔地にいるオブザーバが、被管理者の日常的な健康状態をより正確に把握でき、緊急事態や病気の発症を未然に防ぎたいという要求に応えることができる。
【００１２】
前記送信部は、前記指標の変化量が閾値を超えると、前記端末装置へアラーム信号を送信する構成とされうる。
【００１３】
このような構成によれば、遠隔地にいるオブザーバが、被管理者の日常的な健康状態を把握でき、緊急事態や病気の発症を未然に防ぐための対応をより迅速にとれる。
【００１４】
前記オブザーバは、第１オブザーバと第２オブザーバを含みうる。ここで、前記第２オブザーバは、前記第１オブザーバよりも高い緊急対応能力を有している。この場合、前記送信部は、前記指標の変化量に対応する緊急性に応じて、前記アラーム信号の送信先に前記第２オブザーバに関連付けられた前記端末装置を加える構成とされうる。
【００１５】
このような構成によれば、被管理者に不測の事態が生じた場合において、遠隔地にいる第１オブザーバに代わって第２オブザーバが被管理者の現状を確認できる。したがって、遠隔地にいるオブザーバが、被管理者の日常的な健康状態を把握できるだけでなく、緊急事態への対応を迅速に行なえる。
【００１６】
前記センサは、焦電センサ、超音波センサ、マイクロ波センサ、電波センサ、画像センサ、温度センサ、湿度センサ、照度センサの少なくとも１つとされうる。
【００１７】
焦電センサは、消費電力が低く、照明などの周辺機器が不要であり、比較的簡素な回路構成を有する。したがって、住居への遠隔健康管理システムの導入コストおよび運用コストを抑制しつつ、遠隔地にいるオブザーバが、被管理者の日常的な健康状態を正確に把握できる。
【００１８】
超音波センサ、マイクロ波センサ、電波センサ、画像センサ、温度センサ、湿度センサ、照度センサの少なくとも１つを用いる場合、検出範囲における被管理者の存否に加え、被管理者の心拍数を取得できる。したがって、遠隔地にいるオブザーバが、被管理者の日常的な健康状態をより正確に把握でき、緊急事態や病気の発症を未然に防ぎたいという要求により容易に応えることができる。
【００１９】
前記センサは、電池、自家発電源、商用電源の少なくとも１つにより供給される電力により動作する構成とされうる。
【００２０】
特に電池を用いる場合においては、居室内におけるセンサの配置に係る自由度が高くなるため、遠隔地にいるオブザーバが被管理者の日常的な健康状態をより正確に把握できる。また、センサの設置に際して電気配線工事が不要であるため、住居への遠隔健康管理システムの導入コストを抑制できる。
【００２１】
前記送信部は、前記ゲートウェイ装置から前記データを所定期間受信しなかった場合に、前記ゲートウェイ装置と前記端末装置の少なくとも一方へアラーム信号を送信する構成とされうる。この場合、前記ゲートウェイ装置と前記端末装置の少なくとも一方は、前記アラーム信号に対応する報知動作を行なう。
【００２２】
特に電池を使用する場合においては、被管理者が日常的に電池の残量不足を意識する必要がない。また、電池の残量不足や停電により被管理者の活動状態が把握できなくなるという事態を回避できる。したがって、遠隔地にいるオブザーバが、被管理者の日常的な健康状態をより正確に把握できる。
【００２３】
前記遠隔健康管理システムは、少なくとも前記住居からの外出時において前記被管理者に所持され、当該被管理者の身体活動量に対応する活動量データを生成する身体活動計を備えている構成とされうる。この場合、前記ゲートウェイ装置は、前記身体活動計から前記活動量データを取得するとともに、前記データとして当該活動量データを前記管理装置へ送信する。前記送信部は、前記管理情報として、前記活動量データと当該活動量データに基づいて生成された管理データの少なくとも一方を前記端末装置へ送信する。
【００２４】
このような構成によれば、被管理者の在宅時のみならず、外出時まで含めた総合的な活動状態をオブザーバに伝達できる。したがって、遠隔地にいるオブザーバが、被管理者の日常的な健康状態をより正確に把握でき、緊急事態や病気の発症を未然に防ぎたいという要求に応えることができる。
【００２５】
前記遠隔健康管理システムは、前記被管理者の生体情報を取得し、当該生体情報に対応する生体情報データを生成する医療機器を備えている構成とされうる。この場合、前記ゲートウェイ装置は、前記医療機器から前記生体情報データを取得するとともに、前記データとして当該生体情報データを前記管理装置へ送信する。前記送信部は、前記管理情報として、前記生体情報データと当該生体情報データに基づいて生成された管理データの少なくとも一方を前記端末装置へ送信する。
【００２６】
このような構成によれば、被管理者の活動状態のみならず、生体情報まで含めた総合的な健康状態をオブザーバに伝達できる。したがって、遠隔地にいるオブザーバが、被管理者の日常的な健康状態をより正確に把握でき、緊急事態や病気の発症を未然に防ぎたいという要求に応えることができる。
【００２７】
管理装置は、前記ゲートウェイ装置より受信した前記生体情報データを、少なくとも前記生体情報が取得された日時と関連付けて記憶する記憶部を備えている構成とされうる。
【００２８】
このような構成によれば、被管理者の生体情報がデータベース化され、オブザーバの一例としての医療従事者による二次解析や医療機関における二次活用などが可能となる。したがって、遠隔地にいるオブザーバが、被管理者の日常的な健康状態をより正確に把握でき、緊急事態や病気の発症を未然に防ぎたいという要求により容易に応えることが可能である。
【００２９】
前記送信部は、定期的に前記管理情報を前記端末装置へ送信する構成とされうる。
【００３０】
このような構成によれば、オブザーバは恒常的に被管理者の活動状態を把握でき、被管理者の健康状態変化に対する気づきを促すことができる。したがって、遠隔地にいるオブザーバが、被管理者の日常的な健康状態を正確に把握でき、緊急事態や病気の発症を未然に防ぎたいという要求により容易に応えることができる。
【００３１】
前記送信部は、前記端末装置からの要求に応じて、前記管理情報を送信する構成とされうる。
【００３２】
このような構成によれば、遠隔地にいるオブザーバが、被管理者の日常的な健康状態を所望のタイミングで把握でき、緊急事態や病気の発症を未然に防ぎたいという要求により容易に応えることができる。
【図面の簡単な説明】
【００３３】
【図１】一実施形態に係る遠隔健康管理システムを示す図である。
【図２】上記のシステムが備えるセンサの設置例を示す図である。
【図３】上記のシステムが備えるセンサの設置例を示す図である。
【図４】上記システムが備える管理装置が行なう処理の一例を示す図である。
【図５】上記システムが備えるセンサの一構成例を示す図である。
【図６】上記システムの一構成例を示す図である。
【発明を実施するための形態】
【００３４】
添付の図面を参照しつつ、本発明に係る実施形態の例を以下詳細に説明する。図１は、一実施形態に係る遠隔健康管理システム１を示す機能ブロック図である。遠隔健康管理システム１は、遠隔地から被管理者１００の健康を管理するシステムである。被管理者１００の例としては、独り暮らしの高齢者が挙げられる。
【００３５】
遠隔健康管理システム１は、センサ２を備えている。センサ２は、被管理者１００の住居２００内の居室３００に設置される。ここで「居室」とは、居間や寝室などの部屋に加え、玄関、台所、浴室、洗面所、トイレなど生活活動が営まれる場所を含む意味である。
【００３６】
センサ２は、居室３００における被管理者１００の活動に対応する検出信号を出力するように構成されている。例えば、センサ２は所定の検出範囲を有しており、当該検出範囲内に被管理者１００が在している場合に検出信号を出力するように構成される。検出信号の出力継続時間や出力／非出力の切り替わり頻度などに基づいて、被管理者１００の居室３００における活動状態を把握できる。
【００３７】
遠隔健康管理システム１は、ゲートウェイ装置３を備えている。ゲートウェイ装置３は、住居２００に設置される。ゲートウェイ装置３は、センサ２から出力された検出信号を受信する。センサ２とゲートウェイ装置３の間で行われる信号の授受は、有線通信あるいは無線通信を介して行われる。ゲートウェイ装置３は、センサ２から受信した検出信号に対応するデータを送信可能に構成されている。
【００３８】
遠隔健康管理システム１は、管理装置４を備えている。管理装置４は、住居２００から遠隔した場所に設置される。管理装置４は、ゲートウェイ装置３から送信されたデータを受信可能に構成されている。
【００３９】
遠隔健康管理システム１は、端末装置５を備えている。端末装置５は、管理装置４と通信可能に構成されている。端末装置５は、被管理者１００とは異なるオブザーバ１５０に対して情報を提示可能な装置である。端末装置５の例としては、ディスプレイを有する携帯情報端末（スマートフォン、タブレット型コンピュータ、ノート型コンピュータなど）、据え置き型のモニタ装置などが挙げられる。オブザーバ１５０の例としては、被管理者１００の家族を含む血縁関係者、被管理者１００のかかり付け医師を含む医療従事者、被管理者１００を担当するホームヘルパーを含む介護関係者、被管理者１００あるいはその関係者が契約している警備会社、自治体、健康保険事業者などが挙げられる。
【００４０】
管理装置４は、指標生成部４１を備えている。指標生成部４１は、ゲートウェイ装置３から送信されるデータを経時的に蓄積することにより、被管理者１００の居室３００における活動状態に対応する指標を生成するように構成されている。
【００４１】
「指標」の一例としては、被管理者１００の活動量の絶対値に基づく評価指標が挙げられる。例えば、被管理者１００の活動量が同年齢の高齢者の活動量の平均値よりも高い場合、被管理者１００の健康状態がよく活動的である旨を示す評価指標が得られる。反対に、被管理者１００の活動量が同年齢の高齢者の活動量の平均値よりも低い場合、被管理者１００が活動的でない、あるいは健康状態が良好とは言えない旨を示す評価指標が得られる。このような評価指標は、比較的短期間のデータの蓄積により得ることができる。
【００４２】
「指標」の別例としては、被管理者１００の活動量の相対変化に基づく評価指標が挙げられる。例えば、被管理者１００が非常に活動的な者である場合、体調を崩して活動量が低下しても、その値が依然として同年齢の高齢者の活動量の平均値を上回っているという状況がありうる。この場合、上記のように活動量の絶対値のみに着目すると、当該被管理者１００の体調不良が見逃されてしまうおそれがある。そこで、被管理者１００の活動量の経時平均を求めてこれを当該被管理者１００の標準活動量と定め、当該標準活動量からの逸脱量をもって当該被管理者１００の健康状態を評価することが考えられる。このような評価指標は、比較的長期のデータを蓄積することにより正確性が向上する。
【００４３】
管理装置４は、送信部４２を備えている。送信部４２は、指標生成部４１により生成された指標を含む管理情報を、端末装置５へ送信可能に構成されている。管理情報の例としては、上記の指標を含む評価レポートが挙げられる。送信された管理情報は、端末装置５を通じてオブザーバ１５０に提示される。
【００４４】
このような構成によれば、例えば、オブザーバ１５０の一例としての被管理者１００の子が、活動度が日常的に低下している旨を示す評価レポートを見た場合、遠隔地に住む被管理者１００に連絡をとって様子を伺うといった対応ができる。したがって、遠隔地にいるオブザーバ１５０が、被管理者１００の日常的な健康状態を正確に把握でき、緊急事態や病気の発症を未然に防ぎたいという要求に応えることができる。
【００４５】
図２に示すように、遠隔健康管理システム１は、複数のセンサ２ａ〜２ｆを備える構成とされうる。本例においては、被管理者１００の住居２００は、玄関３０１、台所３０２、浴室３０３、居間３０４、洗面所／トイレ３０５、寝室３０６を備えている。玄関３０１にはセンサ２ａが設置されている。台所３０２にはセンサ２ｂが設置されている。浴室３０３にはセンサ２ｃが設置されている。居間３０４にはセンサ２ｄが設置されている。洗面所／トイレ３０５にはセンサ２ｅが設置されている。寝室３０６にはセンサ２ｆが設置されている。各センサ２ａ〜２ｆの機能および動作は、図１を参照して説明したセンサ２の機能および動作と同じであるため、繰り返しとなる説明は省略する。
【００４６】
この場合、管理装置４の指標生成部４１は、複数のセンサ２ａ〜２ｆより出力された複数の検出信号に対応するデータの組合せに基づいて上記の指標を生成する。例えば、各センサ２ａ〜２ｆより検出信号が出力された時刻や継続時間を組み合わせることにより、各居室における活動時間、居室間の移動頻度、外出頻度といった指標が得られる。
【００４７】
このような構成によれば、住居２００内における被管理者１００の行動パターンをより正確に把握できる。例えば、午前９時に玄関３０１に設置されたセンサ２ａが検出信号を出力し、午後２時に同センサ２ａが再び検出信号を出力し、その間、他のセンサ２ｂ〜２ｆが検出信号を出力しなければ、被管理者１００が外出していることが把握される。このような生活パターンが定着している被管理者１００の場合、同時間帯に寝室３０６に設置されたセンサ２ｆと洗面所／トイレ３０５に設置されたセンサ２ｅの検出信号の出力頻度が高ければ、当該被管理者１００が体調を崩している事態や怪我をしている事態が推定される。オブザーバ１５０は、管理装置４を通じて端末装置５に配信される管理情報を通じてこのような状況を把握し、被管理者１００に連絡をとって様子を伺うといった対応ができる。したがって、遠隔地にいるオブザーバ１５０が、被管理者１００の日常的な健康状態をより正確に把握でき、緊急事態や病気の発症を未然に防ぎたいという要求に応えることができる。
【００４８】
図３に示すように、遠隔健康管理システム１は、特定の居室３００に設置された複数のセンサ２ｇ〜２ｉを備える構成とされうる。例えば、センサ２ｇは、居室３００の出入口の近傍に設置されており、センサ２ｈは、被管理者１００が室内を移動する際に通過することの多い場所に設置されており、センサ２ｉは、被管理者１００が比較的長い時間滞在することの多い場所に設置されている。各センサ２ｇ〜２ｉの機能および動作は、図１を参照して説明したセンサ２の機能および動作と同じであるため、繰り返しとなる説明は省略する。
【００４９】
この場合、管理装置４の指標生成部４１は、複数のセンサ２ｇ〜２ｉより出力された複数の検出信号に対応するデータの組合せに基づいて上記の指標を生成する。例えば、例えば、各センサ２ｇ〜２ｉより検出信号が出力された時刻や継続時間を組み合わせることにより、居室３００における活動時間帯、室内における活動位置、室内の移動頻度といった指標が得られる。
【００５０】
このような構成によれば、居室３００内における被管理者１００の行動パターンをより正確に把握できる。例えば、居室３００の出入りや室内の移動が多い被管理者１００の場合、センサ２ｇ〜２ｉの検出信号出力の切り替わり頻度が高くなる。同じ被管理者１００を対象としながら、検出信号出力の切り替わり頻度が低い場合、あるいは特定のセンサからの検出信号出力のみが継続する場合、当該被管理者１００が体調を崩している事態や怪我をしている事態が推定される。オブザーバ１５０は、管理装置４を通じて端末装置５に配信される管理情報を通じてこのような状況を把握し、被管理者１００に連絡をとって様子を伺うといった対応が可能となる。したがって、遠隔地にいるオブザーバ１５０が、被管理者１００の日常的な健康状態をより正確に把握でき、緊急事態や病気の発症を未然に防ぎたいという要求に応えることができる。
【００５１】
管理装置４の送信部４２は、上記の指標の変化量が所定の閾値を超えると、端末装置５へアラーム信号を送信するように構成されうる。例えば、住居２００内における総合的な活動量を示す指標がある程度低下している場合、被管理者１００が体調を崩している事態が推定される。このような場合にアラーム信号が端末装置５へ送信されることにより、被管理者１００が体調を崩している可能性をオブザーバ１５０に報知できる。オブザーバ１５０は、被管理者１００に連絡をとり、様子を伺うなどの対応ができる。
【００５２】
このような構成によれば、遠隔地にいるオブザーバ１５０が、被管理者１００の日常的な健康状態を把握でき、緊急事態や病気の発症を未然に防ぐための対応をより迅速にとれる。
【００５３】
例えば、オブザーバ１５０は、第１オブザーバと第２オブザーバを含みうる。この場合、第２オブザーバは、第１オブザーバよりも高い緊急対応能力を有する者として定義される。例えば、第１オブザーバは被管理者１００の家族であり、第２オブザーバは警備会社である構成とされうる。この場合、管理装置４の送信部４２は、指標の変化量に対応する緊急性に応じて、アラーム信号の送信先に第２オブザーバに関連付けられた端末装置５を加える構成としてもよい。
【００５４】
住居２００内における総合的な活動量を示す指標がある程度低下しており、被管理者１００が体調を崩している事態が推定される場合、管理装置４は、緊急性は高くないと判断しうる。この場合は、少なくとも第１オブザーバに関連付けられた端末装置５へアラーム信号が送信される。第２オブザーバに関連付けられた端末装置５へのアラーム信号への送信を行なうかは任意である。他方、例えば、浴室３０３に設置したセンサ２ｃからの検出信号の出力継続時間が通常想定される値を大きく上回っている場合、被管理者１００が浴室３０３内で転倒したり発作を起こしたりすることにより動けなくなっている事態が推定される。このような場合においては、一刻も早く被管理者１００の現状を確認する必要があるため、警備会社などの第２オブザーバに関連付けられた端末装置５へもアラーム信号が送信される。これにより、警備会社が被管理者１００の住居２００へ駆け付け、被管理者１００の状況確認あるいは救護を行なうことができる。
【００５５】
図４は、このように構成された管理装置４が実行する処理の一例を示すフローチャートである。まず、管理装置４は、指標の変化量が閾値を超えているかを判定する（ステップＳ１）。指標の変化量が閾値を超えていない場合（ステップＳ１においてＮｏ）、管理装置４は、判定処理を繰り返す。指標の変化量が閾値を超えていると判定されると（ステップＳ１においてＹｅｓ）、管理装置４は、当該指標の変化量が閾値を超えている事態の緊急性が高いかを判定する。管理装置４は、指標の種別や閾値の大きさと関連付けて緊急性の有無を予め定めたテーブルを備えており、当該テーブルを参照して判定を行なう。緊急性が高くないと判定されると（ステップＳ２においてＮｏ）、送信部４２は、少なくとも第１オブザーバに関連付けられた端末装置５へアラーム信号を送信する（ステップＳ３）。他方、緊急性が高いと判定されると（ステップＳ２においてＹｅｓ）、送信部４２は、第２オブザーバに関連付けられた端末装置５をアラーム信号の送信先に追加する（ステップＳ４）。
【００５６】
このような構成によれば、被管理者１００に不測の事態が生じた場合において、遠隔地にいる第１オブザーバに代わって第２オブザーバが被管理者１００の現状を確認できる。したがって、遠隔地にいるオブザーバ１５０が、被管理者１００の日常的な健康状態を把握できるだけでなく、緊急事態への対応を迅速に行なえる。
【００５７】
図５に示すように、センサ２（２ａ〜２ｉ）は、例えば、焦電センサ２０である。焦電センサ２０は、焦電素子を含む検出部２１を備えている。焦電素子は、人体から放射される赤外線を検出するように構成されている。焦電素子は、赤外線の照射が開始された瞬間と照射が終了された瞬間に電荷を生ずる。したがって、両瞬間の時刻を管理することにより、焦電センサ２０の検出範囲内に被管理者１００が在している時間帯を把握できる。
【００５８】
焦電センサ２０は、消費電力が低く、照明などの周辺機器が不要であり、比較的簡素な回路構成を有する。したがって、住居２００への遠隔健康管理システム１の導入コストおよび運用コストを抑制しつつ、遠隔地にいるオブザーバ１５０が、被管理者１００の日常的な健康状態を正確に把握できる。
【００５９】
焦電センサ２０は、電池２２により供給される電力により動作する構成とされうる。
【００６０】
このような構成によれば、居室３００内における焦電センサ２０の配置に係る自由度が高くなるため、遠隔地にいるオブザーバ１５０が被管理者１００の日常的な健康状態をより正確に把握できる。また、焦電センサ２０の設置に際して電気配線工事が不要であるため、住居２００への遠隔健康管理システム１の導入コストを抑制できる。
【００６１】
電池２２の残量が不足すると検出部２１から所望の検出信号が得られなくなるため、管理装置４の送信部４２は、ゲートウェイ装置３からデータを所定期間（例えば３０時間）受信しなかった場合に、ゲートウェイ装置３と端末装置５の少なくとも一方に電池交換を促すアラーム信号を送信する構成とされうる。例えば、管理装置４は、受信部４３とタイマ４４を備える構成とされうる。受信部４３は、ゲートウェイ装置３から送信されたデータを受信するように構成される。タイマ４４は、受信部４３がデータを受信する度にリセットされて計時を開始するように構成される。タイマ４４は、計時が上記の所定期間に達すると、送信部４５へトリガ信号を出力するように構成される。送信部４５は、タイマ４４からトリガ信号を受信すると、アラーム信号を送信するように構成される。
【００６２】
この場合、アラーム信号を受信したゲートウェイ装置３と端末装置５の少なくとも一方は、当該アラーム信号に対応する報知動作を行なうように構成される。例えば、アラーム信号がゲートウェイ装置３へ送信される場合、ゲートウェイ装置３は、視覚的報知と聴覚的報知の少なくとも一方を通じて、被管理者１００に電池交換を促す。アラーム信号が端末装置５へ送信される場合、視覚的報知と聴覚的報知の少なくとも一方を通じて、焦電センサ２０の電池残量が不足している可能性をオブザーバ１５０に報知する。オブザーバ１５０は、被管理者１００に連絡をとることにより、電池交換を促すことができる。
【００６３】
このような構成によれば、被管理者１００が日常的に電池２２の残量不足を意識する必要がなく、かつ、電池２２の残量不足により被管理者１００の活動状態が把握できなくなるという事態を回避できる。したがって、遠隔地にいるオブザーバ１５０が、被管理者１００の日常的な健康状態をより正確に把握できる。
【００６４】
図６に示すように、遠隔健康管理システム１は、活動量計６を備える構成とされうる。活動量計６は、少なくとも住居２００からの外出時において被管理者１００により所持される。活動量計６は、被管理者１００の身体活動量に対応する活動量データを生成するように構成される。身体活動量の例としては、歩数や中強度運動量が挙げられる。よって、活動量データの例としては、被管理者１００が活動量計６を所持している間の歩数や中強度運動量を示すデータが挙げられる。中強度運動量とは、例えば３メッツ以上の強度のある身体活動・運動を１日６０分、１週間に２３エクササイズ（メッツ×時間）以上行うことである。なお、３メッツ以上の身体活動として、速歩、ジョギング、テニス、水泳等が該当する。
【００６５】
この場合、ゲートウェイ装置３は、被管理者１００の在宅時における所定のタイミングで身体活動計６から活動量データを取得するように構成される。また、ゲートウェイ装置３は、身体活動計６から取得した活動量データ（データの一例）を管理装置４へ送信するように構成される。他方、管理装置４の送信部４２は、ゲートウェイ装置３から受信した活動量データと当該活動量データに基づいて生成された管理データの少なくとも一方（管理情報の一例）を、端末装置５へ送信するように構成される。管理データの例としては、活動量データの経時変化や平均的な高齢者の活動量との比較結果を含む評価レポートが挙げられる。
【００６６】
このような構成によれば、被管理者１００の在宅時のみならず、外出時まで含めた総合的な活動状態をオブザーバ１５０に伝達できる。したがって、遠隔地にいるオブザーバ１５０が、被管理者１００の日常的な健康状態をより正確に把握でき、緊急事態や病気の発症を未然に防ぎたいという要求に応えることができる。
【００６７】
図６に示すように、遠隔健康管理システム１は、医療機器７を備える構成とされうる。医療機器７は、被管理者１００の在宅時と外出時を問わず、当該被管理者１００の生体情報を取得するように構成される。医療機器７は、取得した生体情報に対応する生体情報データを生成するように構成される。生体情報の例としては、血圧値（最高血圧、最低血圧）、血糖値（空腹時血糖値、随時血糖値）、体重、体脂肪率、血清コレステロール、心電図、ホルター心電図、呼吸数、心拍数、不整脈、肺気量分画、強制呼出曲線、フローボリュームカーブ、最大換気量、安静換気量、薬剤吸入テスト、末梢神経検査、骨密度、眼底カメラ、眼圧、視力、ＳｐＯ２、ＥｔＣＯ２、ｔｃＰＯ２、ｔｃＰＣＯ２、ＳＴレベル、ＦｉＯ２、ＣＯ、ＣＣＯ、超音波画像、観血血圧、Ｘ線画像、ＣＴ、ＭＲＩ、ＷＢＣ、ＮＥ％、ＬＹ％、ＭＯ％、ＥＯ％、ＢＡ％、ＮＥ、ＬＹ、ＭＯ、ＥＯ、ＢＡ、ＲＢＣ、ＨＧＢ、ＨＣＴ、ＭＣＶ、ＭＣＨ、ＭＣＨＣ、ＲＤＷ、ＰＬＴ、ＰＣＴ、ＭＰＶ、ＰＤＷ、ＣＲＰ、ｐＨ、ｐＣＯ２、ｐＯ２、ｃｔＨｂ、ｃＮＡ＋、ｃＫ＋、ｃＣｌ−、ｃＣａ２＋、ｃＧｌｕｃｏｓｅ、ｃＬａｃｔａｔｅ、ＣＯ−Ｏｘｉｍｅｔｒｙ、ＡｕｔｏＱＣ、ＨｇＡ１ｃ、脳波、筋電図、認知症検査、ＡＢＩ、ＡＰＩ、ＡＶＩ、ＦＭＤ、直腸温、食道温、ＰＨ、タンパク、ブドウ糖、各種医療機器（植込み型ＰＭ、ＩＣＤ、ＣＲＴＤ、ＶＮＳ、人工呼吸器、在宅酸素、ＣＰＡＰ、自動体外式除細動装置等）の稼働状況など挙げられる。医療機器７の例としては、血圧計、携帯型心電計、電子聴診器をはじめとする、上記の各種生体情報を取得可能な機器が挙げられる。
【００６８】
この場合、ゲートウェイ装置３は、被管理者１００の在宅時における所定のタイミングで医療機器７から生体情報データを取得するように構成される。また、ゲートウェイ装置３は、医療機器７から取得した生体情報データ（データの一例）を管理装置４へ送信するように構成される。他方、管理装置４の送信部４２は、ゲートウェイ装置３から受信した生体情報データと当該生体情報データに基づいて生成された管理データの少なくとも一方（管理情報の一例）を、端末装置５へ送信するように構成される。管理データの例としては、生体情報データの経時変化や平均的な高齢者の生体情報との比較結果を含む評価レポートが挙げられる。
【００６９】
このような構成によれば、被管理者の活動状態のみならず、生体情報まで含めた総合的な健康状態をオブザーバ１５０に伝達できる。したがって、遠隔地にいるオブザーバ１５０が、被管理者１００の日常的な健康状態をより正確に把握でき、緊急事態や病気の発症を未然に防ぎたいという要求に応えることができる。
【００７０】
この場合、図６に破線で示すように、管理装置４は、記憶部４５を備える構成とされうる。記憶部４５は、ゲートウェイ装置３より受信した生体情報データを、少なくとも当該生体情報データに対応する生体情報が取得された日時と関連付けて記憶するように構成される。
【００７１】
このような構成によれば、被管理者１００の生体情報がデータベース化され、オブザーバ１５０の一例としての医療従事者による二次解析や医療機関における二次活用などが可能となる。したがって、遠隔地にいるオブザーバ１５０が、被管理者１００の日常的な健康状態をより正確に把握でき、緊急事態や病気の発症を未然に防ぎたいという要求により容易に応えることができる。
【００７２】
管理装置４の送信部４２は、定期的に管理情報を端末装置５へ送信するように構成されうる。例えば、デイリーレポート、ウィークリーレポート、マンスリーレポートといった形態で、端末装置５へ管理情報が配信されうる。
【００７３】
このような構成によれば、オブザーバ１５０は恒常的に被管理者１００の活動状態を把握でき、被管理者１００の健康状態変化に対する気づきを促すことができる。したがって遠隔地にいるオブザーバ１５０が、被管理者１００の日常的な健康状態を正確に把握でき、緊急事態や病気の発症を未然に防ぎたいという要求により容易に応えることができる。
【００７４】
これに加えてあるいは代えて、図１に破線で示すように、管理装置４の送信部４２は、端末装置５からの要求に応じて管理情報を送信するように構成されうる。
【００７５】
例えば被管理者１００が体調を崩し気味の場合は、より頻繁に被管理者１００の状態を確認したいというニーズがある。上記の構成によれば、このようなニーズに応えることができる。したがって、遠隔地にいるオブザーバ１５０が、被管理者１００の日常的な健康状態を所望のタイミングで把握でき、緊急事態や病気の発症を未然に防ぎたいという要求により容易に応えることができる。
【００７６】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００７７】
住居２００内に設置されるセンサ２の数と場所、および特定の居室３００に設置されるセンサ２の数と場所は、図示した例に限られるものではなく、被管理者１００の生活態様とセンサ２の仕様に応じて適宜に定められうる。例えば、ある居室３００において２箇所の検出領域を設定したい場合、単一の指向性（検出範囲）を有するセンサを２個設置してもよいし、２つの方向に指向性（検出範囲）を有する単一のセンサを設置してもよい。
【００７８】
上記の実施形態においては、センサ２として焦電センサ２０を例示した。センサ２の別例としては、超音波センサ、マイクロ波センサ、電波センサ、画像センサ、温度センサ、湿度センサ、照度センサなどが挙げられる。これらのセンサの少なくとも１つを用いる場合、検出範囲における被管理者１００の存否に加え、被管理者１００の心拍数を取得できる。この場合、これらのセンサは、上記の説明における医療機器７の一例とみなすこともできる。したがって、遠隔地にいるオブザーバ１５０が、被管理者１００の日常的な健康状態をより正確に把握でき、緊急事態や病気の発症を未然に防ぎたいという要求に応えることがより容易となる。
【００７９】
上記の実施形態においては、電池２２より供給される電力で駆動されるセンサ２を例示した。しかしながら、センサ２を駆動する電力は、太陽電池などを用いた自家発電源や商用電源から供給されてもよい。また、当該電力は、電池、自家発電源、商用電源の少なくとも１つを併用して供給されてもよい。
【符号の説明】
【００８０】
１：遠隔健康管理システム、２：センサ、２ａ〜２ｉ：センサ、３：ゲートウェイ装置、４：管理装置、５：端末装置、６：活動量計、７：医療機器、２２：電池、４１：指標生成部、４２：送信部、４５：記憶部、２００：住居、３００：居室
【図１】
2016028309.tif 000003
【図２】
2016028309.tif 000004
【図３】
2016028309.tif 000005
【図４】
2016028309.tif 000006
【図５】
2016028309.tif 000007
【図６】
2016028309.tif 000008